(57)【要約】      （修正有）【課題】握力や捻回力が弱い状況の人が容器の開蓋をするとき、生活環境にある部材を活用し開蓋することで、容易に開蓋できるキャップの構造を提案する。【解決手段】容器の螺合蓋の頭部に複数の突起体を適宜間隔を有して設け、対向する突起体の間隔は、キャップ外径の１／３より大きい間隔を有し、かつ、間隔寸法より小さい厚みの突起体を設けた。また、対向する突起体の間隔の１／２以上の突起体の高さを有し、突起体の幅は突起体の厚みより大きくした。【選択図】図１
2016041602.tif 000002
【特許請求の範囲】
【請求項１】
容器の螺合蓋の頭部に複数の突起体を適宜間隔を有して設け、対向する突起体の間隔は、キャップ外径の１／３より大きい間隔を有し、かつ、間隔寸法より小さい厚みの突起体を設けたことを特徴とする螺合蓋。
【請求項２】
対向する突起体の間隔の１／２以上の突起体の高さを有し、突起体の幅は突起体の厚みより大きくしたことを特徴とする請求項1の螺合蓋。
【発明の詳細な説明】
【技術分野】
【０００１】
本発明は、容器の螺合蓋の頭部に複数の突起体を設け、開蓋を片手で容易に可能にする螺合蓋に関するものである。
【背景技術】
【０００２】
従来の螺合蓋の開蓋の容易化の方法としてキャップ径をやや大きく膨らませ、
これまでの縦の凹凸溝に等間隔に大型の曲線の溝を施して、摩擦力を大きくさせたものがある。（例えば特許文献1参照）
【０００３】
また、キャップ上面に適度な幅と深さの溝穴を設けたものがある（例えば特許文献２参照）
【先行技術文献】
【特許文献】
【０００４】
【特許文献１】特開2006-282274号公報
【特許文献２】特許公開2007-126213号公報
【発明の概要】
【発明が解決しようとする課題】
【０００５】
従来、容器の螺合蓋は容器本体部分の太さ（径）に比べ容器の注ぎ口は直接飲みやすく、また、他の容器に注ぎやすくするため小径となっている。
【０００６】
また、ペットボトルは、開蓋したものか、未開蓋のものかを区別するため、キャップにリングが結合されて設けられている。開蓋時はキャップとリングを分離して開蓋するためリングとキャップが個々に回転する。未開蓋のものはキャップとリングが結合しているため、リングが単独で回転するかしないかにより、開蓋、未開蓋の区別ができるようになっている。また瓶も同様キャップのねじ端部側にペットボトルのリングと同様な開蓋、未開蓋の区別を行うものが設けられている。
【０００７】
このように、開蓋時は、リングとキャップを分離させる必要があり、開蓋時、径の小さいキャップを回転させて開蓋する回転力に大きな力を必要とするため開蓋が困難であった。
【０００８】
子どもや女性、お年寄りの力の弱い人、また怪我や病気で手が不自由な人は
容器のキャップを開蓋しようとしても力が不足して開蓋できず、協力者に依頼して開蓋している。特に片手が不自由な場合は一人では全く開蓋することができない。
【０００９】
このため、開蓋を容易にする手段として種々提案がなされているが、開蓋用の道具は、購入し常時持ち運びが必要であり、また、キャップ径を少しふくらませ、大型の曲線の溝を施して摩擦力を大きくさせたものがあるが、容器本体に比べ従来のキャップと大差ない大きさ（径）であり、開蓋時の開蓋力の軽減はわずかで、開蓋時は両手での開蓋が必要で片手での操作ができなかった。
【００１０】
キャップ上面に適度な幅と深さの溝穴を設けたものがある、この溝にコインや箸や略板状のものを嵌め込み回すことで開蓋をおこなおうとしているが、溝幅、深さとも小さいものが提案されており、溝幅に嵌め込むものが限定され、開蓋時嵌め込む部材を探さなければならず、コインのような嵌め込むものの大きさによっては、キャップを捩じる開蓋力は従来と変わらず、従来通り両手での開蓋を強いられ握力や捻回力が弱い小児、女性、病傷者、高齢者、片手しか使えない状況の人への有効な開蓋手段に至っていない。
【００１１】
以上に述べたように従来の開蓋時は、キャップと容器本体の2か所を保持し回転しなくてはならず、片手での開蓋ができず不便であった。
【００１２】
本発明の課題は、握力や捻回力が弱い小児、女性、病傷者、高齢者、片手しか使えない状況の人が容器を開蓋するとき、実施例のごとく生活環境にある部材を活用し開蓋することができ、また、キャップを手や指で触ることなく、片手で容器本体のみを回転させ、容易に開蓋できるキャップの構造を提案することにある。
【課題を解決するための手段】
【００１３】
そして、本発明は上記目的を達成するために容器の螺合蓋の頭部に複数の突起体を適宜間隔を有して設け、対向する突起体との間隔は、キャップ外径の１／３より大きい間隔を有し、間隔寸法より小さい厚みの突起体を設けたものである。
【００１４】
第2の解決手段は、対向する突起体の間隔の１／２以上の突起体の高さを有し、突起体の幅は突起体の厚みより大きく設けたものである。
【発明の効果】
【００１５】
上述したように、生活環境にある机や柱等の凸部である角部にキャップ（螺合蓋）外形の１/３以上の突起体の間隔間に圧接させキャップの回転を規制し、また、突起間隔に部材挿入しキャップの回転を規制して、容器本体のみを回し、片手で開蓋出来るキャップを提供するものである。
【００１６】
また、取っ手等の凹溝に片方の突起体を挿入し、キャップに触ることなくキャップの回転を規制し容器本体のみを回し片手で開蓋が可能で、生活環境にある部材を利用し容器の開蓋ができるキャップを提供するものである。
【図面の簡単な説明】
【００１７】
【図１】ペットボトルの側面図である。
【図２】キャップの断面図である。
【図３】キャップの上面図である。
【図４】自販機を利用した開蓋の実施例である。
【図５】自販機を利用した実施例の説明図である。
【図６】取っ手を利用した実施例の説明図である。
【図７】取っ手を利用した実施例である。
【図８】取っ手を利用した実施例の説明図である。
【図９】取っ手を利用した実施例の説明図である。
【図１０】取っ手を利用した実施例の説明図である。
【図１１】取っ手を利用した実施例の説明図である。
【図１２】角材の角を利用した実施例である。
【図１３】角材の角を利用した実施例の説明図である。
【図１４】引出等の取っ手を利用した実施例である。
【図１５】車のドアノブを利用した実施例である。
【図１６】他の実施例のキャップ断面図である。
【図１７】他の実施例のキャップ上面図である。
【図１８】突起体の断面を楕円形にしたキャップの断面図である。
【図１９】突起体の断面を楕円形にしたキャップの上面図である。
【図２０】突起体の断面を円形にしたキャップの断面図である。
【図２１】突起体の断面を円形にしたキャップの上面図である。
【図２２】キャップ底部に凸部を設けた他の実施例である。
【図２３】キャップ底部の凸部の図面である。
【図２４】ペットボトルの底部を活用した他の実施例である。
【発明を実施するための形態】
【００１８】
以下、本発明の実施の形態を図１〜図２４に基づいて説明する。
【００１９】
図１はペットボトルの側面図で、本考案のキャップ（螺合蓋）１とリング２、容器本体３で構成されている。図２は、キャップ１の断面を示し、図３は、図１の矢印４から見たキャップ１の上面図である。
【００２０】
図２で示すキャップ１は、本発明の複数の突起体６を設けた部分Ａと、螺合するためのねじの成形、リングの接合、容器内の収納物の密封機能を有する従来のキャップ機能をそのままを保有する部分Ｂとを一体的に構成したものである。
【００２１】
図２、図３において、本発明のキャップ１は、キャップの頭部Ａに複数の突起体６をキャップ中心に対し向かい合わせに設けている。キャップの中心に対して対向する突起体との間隙９は、キャップ外形Ｄの１/３以上の間隙を有し、突起体の厚み１０より大きい突起体の幅Ｗを有している。
【００２２】
図２に示すよう突起体６の高さｈは、向かい合う突起体６との間隙９の１/２以上の高さを有しており、突起体の厚み１０より大きい突起体の幅Ｗを有している。
【００２３】
突起体６は、キャップ開蓋時の回転トルクに打ち勝つ曲げ荷重やねじり荷重強度が必要で補強のためリブＲを設け、キャップ製作の材料を削減するため空間部Ｋを設けて、材料削減と軽量化を図っている。
【００２４】
本発明のキャップ１を使った開蓋事例を説明する。図４、図５において、自動販売機の返却レバー１２は一般に硬質の樹脂で成形され容易に変形しないものであり、おつりを返却するときレバー１２を矢印１３に回転させおつりを取り出すものである。この返却レバー１２は限定された範囲矢印１３の方向に回動するが、前後左右には動かないよう構成されている。
【００２５】
この返却レバー１２をキャップ１の突起体６で構成する間隙９に挿入し、容器本体３を回転方向１５の方向に回転させると、返却レバー１２によりキャップ１は回転規制され、キャップを触らず容器本体３のみを回すことで開蓋が片手でできることとなる。
【００２６】
図６、図７は一般の家庭にある引き戸１６の取っ手１７を示す。図７で取っ手１７の溝１８にキャップ１の突起体６の片方を入れてキャップ１の回転を規制しようとするが、図８に示すように引き戸１６と取っ手の溝１８との厚み１９は突起体の間隔９より大きく、突起体６の間隔９の中に厚み１９部分を挿入することが出来な場合がありキャップ１の回転を規制することができない。
【００２７】
このため図９に示すように突起体６の片方を取っ手１７の溝１８に傾けて挿入し、容器本体３を開蓋方向に回転させれば、キャップ１の回転を規制することができる。
【００２８】
図１０は、図９のＰ−Ｐ矢視図である。取っ手１７の溝１８の中に片側の突起体６を挿入した図であり、この状態から図１０、図１１に示すようキャップ１を矢印２０方向に回転させ、突起体６が取っ手溝１８の両側面に接当すれば回転が規制される。このことによりキャップ１の突起体６の片方を利用してキャップ１の回転を規制しキャップを触ることなく開蓋を容器本体のみを回転することで、開蓋が可能となる。
【００２９】
その他本発明の活用事例を紹介する。図１２、図１３は柱や、机等の端の角部や、戸の角部等を利用して開蓋する例を示す。図１２に示すよう、引き戸の角部２１に突起体６の間隔９の先端部２２を圧接させている図である。図１３でキャップ１の突起体６の高さｈは間隔９の１/２以上の高さを有しており、直角な角部を接当させても角部先端とキャップ頭部に間隙Ｃが確保され、容器本体を角部に押しつけると突起体の内側先端部２２が角部に圧接され、キャップの回転が規制されて片手でも開蓋ができる。
【００３０】
図１４は引出の取っ手を利用した開蓋方法を例示し、図１５は、自動車のドアのノブを利用した事例を示す。
【００３１】
上述したように、本発明の突起物を有したキャップでの開蓋では、キャップを生活環境にある部材の凹部の溝や、凸部の角部を利用して回転規制するため、キャップに触ることなく容器本体のみを片手で回転させて開蓋することができ、握力や捻回力が弱い小児、女性、病傷者、高齢者、片手しか使えない状況の人に他人の援助なく一人で開蓋ができる画期的な発明である。
【００３２】
図１６、図１７は、他の実施例のキャップを示し、突起体６の一方の先端部を狭い突起体の厚み１０ａと狭くした突起体としたもので、生活環境にある狭い溝部に対しても開蓋出来る構造を保有したキャップを示す。
【００３３】
図１８〜図１９は、本発明の突起体の形状を鋭角を除去するため突起体の断面形状を楕円とした他の実施例を示す。この形状でも、生活環境にある部材を活用して開蓋を片手で行うことができる。
【００３４】
図２０、図２１は突起体断面を円形状にしたもので、形状がシンプルでキャップの成形型費も安価な形状を示すもので、開蓋に供する生活環境の部材はある程度制限されるが、開蓋に大きな障害はない安価型のキャップ形状を示す。
【００３５】
図２２、図２３、図２４は突起体６の間隙９を有するキャップの開蓋を行うため、ペットボトル本体３の底部に幅２５を有する凸部を設け、この凸部２５を突起体の間隔９に挿入しキャップの回転を規制し開蓋を行う事例を示す。
グループの会合や、災害避難時のように開蓋のため生活環境の部材が調達できないときは、ペットボトルの底面図のような突起が設けてあれば、開栓がお互いにできることとなる参考事例を示す。
【符号の説明】
【００３６】
１  キャップ（螺合蓋）
２  リング
３  容器本体
６  突起体
７  突起体の平面部
８  突起体外周部
９  間隙
１０  突起体の厚み
１０ａ  突起体の厚み
Ｄ  キャップ外径
ｈ  突起体の高さ
Ｗ  突起体の幅
Ｒ  補強リブ
Ｋ  空間
１２  返却レバー
１６  引き戸
１７  取っ手
１８  取っ手溝
１８ｂ  溝幅
Ｃ  隙間
２２  突起体内側先端部
２５  凸部
【図１】
2016041602.tif 000003
【図２】
2016041602.tif 000004
【図３】
2016041602.tif 000005
【図４】
2016041602.tif 000006
【図５】
2016041602.tif 000007
【図６】
2016041602.tif 000008
【図７】
2016041602.tif 000009
【図８】
2016041602.tif 000010
【図９】
2016041602.tif 000011
【図１０】
2016041602.tif 000012
【図１１】
2016041602.tif 000013
【図１２】
2016041602.tif 000014
【図１３】
2016041602.tif 000015
【図１４】
2016041602.tif 000016
【図１５】
2016041602.tif 000017
【図１６】
2016041602.tif 000018
【図１７】
2016041602.tif 000019
【図１８】
2016041602.tif 000020
【図１９】
2016041602.tif 000021
【図２０】
2016041602.tif 000022
【図２１】
2016041602.tif 000023
【図２２】
2016041602.tif 000024
【図２３】
2016041602.tif 000025
【図２４】
2016041602.tif 000026